(57)【要約】【目的】本発明は、建物等建築物の外壁として使用する外壁パネルの改良に関する発明である。【構成】本発明である外壁パネルは、上記の課題を解決するために、表面に装飾材を貼着するとともに上面及び下面に円筒状の凸部を複数突設した外パネルと上面には複数の円筒状の凸部を突設するとともに下面にも複数の円筒状及び半円筒状の凸部を突設した内パネルとを略Ｘ字形状の連結部材で連結したことを特徴とする外壁パネルの構成とした。【選択図】　図２
2004084307.tif 000002
【特許請求の範囲】
【請求項１】
表面に装飾材を貼着するとともに上面及び下面に円筒状の凸部を複数突設した外パネルと上面には複数の円筒状の凸部を突設するとともに下面にも複数の円筒状及び半円筒状の凸部を突設した内パネルとを略Ｘ字形状の連結部材で連結したことを特徴とする外壁パネル。
【請求項２】
請求項１に記載の外パネル及び内パネルの左右側面に複数の円筒状及び半円筒状の凸部を突設したことを特徴とする請求項１に記載の外壁パネル。
【請求項３】
外パネルの表面に不燃材を設け、前記不燃材の表面の装飾材を貼着したことを特徴とする請求項１又は請求項２に記載の外壁パネル。
【発明の詳細な説明】
【０００１】
【発明が属する技術分野】
本発明は、建築物の外壁材として使用される外壁パネルの改良に関する発明である。
【０００２】
【従来の技術】
従来、マンション、アパート等の建築物に使用される外壁パネルは、鉄板製の外壁パネル、石材を加工した石製の外壁パネル、コンクリート製の外壁パネル等であり、極めて重量のある外壁パネルが主流である。
【０００３】
【発明が解決しようとする課題】
しかしながら、従来の鉄板製の外壁パネル、石製の外壁パネル、コンクリート製の外壁パネル等は、耐火性、耐熱性等には優れているが、重量があり過ぎて、運搬、建築現場での持ち運び、吊り下げ等が容易ではなく、建築工事の作業能率が悪く建築工事期間が延びてしまうとの欠点がある。
【０００４】
また、従来の鉄板製外壁パネル、石製外壁パネル等は、耐火性、耐熱性等には優れているが、遮音性が悪いとの問題点があり、遮音性を高めるためには別に遮音材を外壁パネルに接合しなければならないとの欠点がある。
【０００５】
そこで、本発明では、従来の鉄板製外壁パネル、石製外壁パネル、コンクリート製外壁パネル等のように重量が無く、極めて軽量でかつ強度性があり、しかも耐熱性、耐火性、遮音性等に極めて優れていて、低コストの外壁パネルを提供することを目的とするものである。
【０００６】
【課題を解決するための手段】
本発明である外壁パネルは、上記の課題を解決するために、表面に装飾材を貼着するとともに上面及び下面に円筒状の凸部を複数突設した外パネルと上面には複数の円筒状の凸部を突設するとともに下面にも複数の円筒状及び半円筒状の凸部を突設した内パネルとを略Ｘ字形状の連結部材で連結したことを特徴とする外壁パネルの構成とした。
【０００７】
【実施例】
以下に、添付図面に基づき、本発明である外壁パネルについて詳細に説明する。図１は外壁パネルの正面図、図２は本発明である外壁パネルの右側面図、図３は本発明である外壁パネルの背面図、図４は本発明である外壁パネルの平面図、図５は本発明である外壁パネルの底面図である。
【０００８】
図１〜図５に示すように、本発明である外壁パネル１は、外面に多数の装飾材２ｇ、２ｇ、２ｇ・・・・が接着した外パネル２と、内パネル３と、連結材４とからなる。本発明である外壁パネル１は、正面より見ると略長方形である。
【０００９】
図１及び図２に示すように、本発明である外壁パネル１は、外パネルの表面２ａには多数の長方形状に形成された装飾材２ｇ、２ｇ、２ｇ・・・・が、一定の間隔を設けて接着してある。
【００１０】
外壁パネル１の上面２ｃには、上凸部２ｅ、２ｅが突設してあり、外壁パネル１の下面２ｄには下凸部２ｆ、２ｆ、２ｆが突設されいて、他の外壁パネル１と接合するための凹凸であり、外壁パネル１と外壁パネル１とを接合する時に歯合するものである。上面２ｃに突設する上凸部２ｅ、２ｅは、下面２ｄに突設している下凸部２ｆ、２ｆ、２ｆと形状が異なるとともに、突設する位置も異なる。
【００１１】
図２は本発明である外壁パネルの右側面図であり、本外壁パネル１は、外パネル２と内パネル３が連結材４により連結されていて、縦断面形状は略Ｈ字状型である。
【００１２】
図２に示すように内パネル３の上面３ｃ及び下面３ｄには、それぞれ上凸部３ｅ及び下凸部３ｆが設けられている。外パネル２の上凸部２ｅは２列、下凸部２ｆは３列で設けられている。前記外パネル２と同様に、内パネル３の上凸部３ｅは２列、下凸部３ｆは３列で設けられている。
【００１３】
図３に示すように、外壁パネル１を構成する内パネル３は、長方形をしており、図１に示した正面図の外パネル２と同様に上面３ｃ及び下面３ｄに複数の凹凸が設けてある。また、背面３ａは平らである。
【００１４】
上面３ｃ及び下面３ｄに設けられた上凸部３ｅ及び下凸部３ｆは、他の外壁パネル１を接合する際に歯合するように、上面３ｃの上凸部３ｅに対して下面３ｄの下凸部３ｆは、半分ズレた位置に設けられている。
【００１５】
図４に示すように、外壁パネル１を構成する外パネル２と内パネル３とは、複数の連結材４、４、４、４、４、４により連結されている。連結材４は、等間隔に外パネル２と内パネル３間に梯子状に配置されている。外パネル２と内パネル３の間は間隔が形成されている。
【００１６】
外パネル２及び内パネル３の上面２ｃ、３ｃに突設している上凸部２ｅ、３ｅは、上端が平坦に形成されていて筒状型の上凸部２ｅ、３ｅであり、上面２ｃ、３ｃに等間隔にしかも２列に突設されている。
【００１７】
図５に示すように、外壁パネル１は、前記平面より見た場合と同じように、底面より見ても梯子状になっており、外パネル２と内パネル３の間には、連結部材４が等間隔に設置されている。
【００１８】
また、図５に示すように、外パネル２及び内パネル３の下面２ｄ、３ｄには、多数の下凸部２ｆ、２ｆ・・・・、３ｆ、３ｆ、３ｆ・・・・が下面２ｄ、３ｄに突設している。
【００１９】
下面２ｄに突設する下凸部２ｆ、２ｆ・・・・は、中央に円筒状の下凸部２ｆ、２ｆ・・・が横方向に一列に配置し、前記下凸部２ｆ、２ｆ・・・を挟むように、半円筒形の下凸部２ｆが配置されている。
【００２０】
下面３ｄに突設する下凸部３ｆ、３ｆ・・・・は、中央に円筒状の下凸部３ｆ、３ｆ・・・が横方向に一列に配置し、前記下凸部３ｆ、３ｆ・・・を挟むように、半円筒形の下凸部２ｆが配置されている。
【００２１】
図６から図９までは、本発明である外壁パネル１を構成する連結部材を示した図である。以下に連結部材４について、図６、図７、図８及び図９に基づいて説明する。
【００２２】
図６は、連結部材の正面図である。図６に示すように、本発明である外壁パネルを構成する連結材４は、略Ｘ字状の連結材本体４ａと前記連結材本体４ａの左右端に連結材本体４ａに一体的に設けた左右外枠部９、９ａとからなる。そして、連結部材本体４ａは、左上連結部５と左下連結部６と右上連設部７と右下連結部８とからなる。
【００２３】
前記左上連結部５と右上連結部７は、突条５ｎを中心として左右対称であるとともに、前記左下連結部６と右下連結部８もまた縦方向にある突条５ｎを中心として左右対称である。
【００２４】
図６に示すように、左上連結部５と右上連結部７には、突条５ｎを中心として左右対称の位置に同形同大の左上外貫通孔５ｂと右上外貫通孔７ａが設けられており、また、同じく突条５ｎを中心として左右対称の位置に同形同大の左上内貫通孔５ｃ及び右上内貫通孔７ｂが設けられている。
【００２５】
前記左上外貫通孔５ｂ及び右上外貫通孔７ａは略台形状をしており、また、前記左上内貫通孔５ｃ及び右上内貫通孔７ｂは、略正三角形状である。左右外貫通孔５ｂ、７ａは、左右内貫通孔５ｃ、７ｂよりも大きい貫通孔である。
【００２６】
図６に示すように、上凹部４ｂの中央にはＵ字溝５ｄが設けられており、前記Ｕ字溝５ｄの左右には一段下がって左上Ｕ字溝５ｅ及び右上Ｕ字溝７ｃが設けられている。
【００２７】
左上Ｕ字溝５ｅの左上方にある左上先端部５ａに向かって、水平部５ｆ及び垂直部５ｇが連設されているとともに、前記垂直部５ｇの左上方に突出部５ｈが連設されている。
【００２８】
突出部５ｈの内方には、左上方に傾斜している左上斜Ｕ字溝５ｉが設けられている。また、左上斜Ｕ字溝５ｉの左方上には、左上Ｖ字溝５ｊ及び傾斜部５ｋが連設されていて左上先端部５ａを経て左外枠部９となる。
【００２９】
右上Ｕ字溝７ｃの右上方にある右上先端部７ｎに向かって、水平部７ｄ及び垂直部７ｅが連設されているとともに、前記垂直部７ｅの右上方に突出部７ｆが連設されている。
【００３０】
突出部７ｆの内方には、右上方に傾斜している右上斜Ｕ字溝７ｇが形成されている。また、前記右上斜Ｕ字溝７ｇの右上方には右上Ｖ字溝７ｈ及び傾斜部７ｉが連設されていて右上先端部７ｎがある。
【００３１】
図６に示したように、上凹部４ｂに形成したＵ字溝５ｄの下方には、２つの突起５ｌ、７ｋが突条５ｎを中心にして左右対称の位置に突設する。また、左上連結部５と左外枠部９が接する個所の先端部５ａ及び右上連結部７と右外枠部９ａが接する所の上部には、それぞれ突起５ｍ、７ｊが突設する。
【００３２】
左下連結部６と右下連結部８とは、縦方向に突設する突条５ｎを中心として左右対称である。左下連結部６と右下連結部８は、縦方向に突設する突条５ｎを中心として左右対称である。
【００３３】
図６に示すように、左下連結部６と右下連結部８には、縦方向に突設する突条５ｎを中心として、左右対称の位置に同形同大の左下外貫通孔６ｂと右下外貫通孔８ａが設けられており、また、同じく突条５ｎを中心として左右対称の位置に同形同大の左下内貫通孔６ｃ及び右下内貫通孔８ｂが設けられている。
【００３４】
前記左下外貫通孔６ｂ及び右下外貫通孔８ａは略台形状をしており、また、前記左下内貫通孔６ｃ及び右下内貫通孔８ｂは、略正三角形状である。左右下外貫通孔６ｂ、８ａは、左右下内貫通孔６ｃ、８ｂよりも大きい貫通孔である。
【００３５】
図６に示すように、下凹部４ｃの中央にはＵ字溝６ｄが設けられており、前記Ｕ字溝６ｄの左右には一段下がって左下Ｕ字溝６ｅ及び右下Ｕ字溝８ｃが設けられている。
【００３６】
左下Ｕ字溝６ｅの左下方にある先端部６ａに向かって、水平部６ｆ及び垂直部６ｇが連設されているとともに、前記垂直部６ｇの左下方に突出部６ｈが連設されている。
【００３７】
突出部６ｈの内方には、左下方に傾斜している左下斜Ｕ字溝６ｉが設けられている。また、左下方に傾斜する左下斜Ｕ字溝６ｉの左下方には、左下Ｖ字溝６ｊ及び傾斜部６ｋが連設されていて左下先端部６ａを経て左外枠部９となる。
【００３８】
右下Ｕ字溝８ｃの右下方にある右下先端部８ｍに向かって、水平部８ｄ及び垂直部８ｅが連設されているとともに、前記垂直部８ｅの右下方に突出部８ｆが連設されている。
【００３９】
突出部８ｆの内方には、右下方に傾斜している右下斜Ｕ字溝８ｇが形成されている。また、前記右下斜Ｕ字溝８ｇの右下方には右下Ｖ字溝８ｈ及び傾斜部８ｉが連設されていて右下先端部８ｍがある。
【００４０】
図６に示したように、左下連結部６と右下連結部８とは、縦方向に突設する突条５ｎを中心として左右対称に形成されている。下凹部４ｃに形成したＵ字溝６ｄの上方には、２つの突起６ｌ、８ｋが突条５ｎを中心にして左右対称の位置に突設する。
【００４１】
左下外貫通孔６ｂと左下内貫通孔６ｃ間でしかも上方にはＬ字型の突条６ｍが形成されている。また、右下貫通孔８ａと右下貫通孔８ｂ間でしかも上方にはＬ字型の突条８ｊが形成されている。
【００４２】
図７は、本発明である外壁パネルを構成する連結部材の背面図である。連結材本体４ａの背面も正面からみた場合と同様に、左上連結部５と右上連結部７は左右対称であるとともに、左下連結部６と右下連結部８も左右対称である。
【００４３】
上凹部４ｂには、突条５ｎを中心として、Ｌ字型の突条７ｌ、５ｏが、突条５ｎを中心に左右対称の位置に形成されている。また、右下先端部８ｍには突起８ｌが形成されているとともに、左下先端部６ａには突起６ｍが形成されている。
【００４４】
前記Ｌ字型突条７ｌは、右上外貫通孔７ａと右上内貫通孔７ｂの間に設けられているとともに、Ｌ字型突条５ｏは左上外貫通孔５ｂと左上内貫通孔５ｃの間に設けられている。そして、左上連結部５と左下連結部６間の左外枠部９寄りに突起５ｐが設けてあるとともに、右上連設部７と右下連結部８間で右外枠部９ａよりに突起７ｍが設けてある。
【００４５】
図８は本発明である外壁パネルを構成する連結材の平面図、図９は本発明である外壁パネルを構成する連結材のＡ−Ａ線の断面図である。図８及び図９に示すように、左右上連設部５、７と左右下連結部６、８が連設する部分には段差５ｑが形成されている。
【００４６】
図１０は本発明である外壁パネルの連結材の左右外枠部に外パネルと内パネルを取り付けた状態の正面図である。図１０に示すように、連結材４の両端に形成されている左右外枠部９、９ａに取り付けた外パネル２及び内パネル３は、Ｌ字型突条６ｍ、８ｊより外方にある左右上外貫通孔５ｂ、７ａ及び左右下外貫通孔６ｂ、８ａが隠れるように外パネル２及び内パネル３を取り付ける。このように、本発明である外壁パネル１は、略Ｈ字状である。
【００４７】
図１１は本発明である外壁パネルの接合状態を示した拡大図、図１２は外壁パネルの連結状態を示した側面図である。図１１及び図１２に示すように、外壁パネル１と外壁パネル１とを接合させた場合の接合部では、下凸部２ｆの内側に上凸部２ｅが入り込んで歯合し接合することができる。
【００４８】
図１３は、本発明である外壁パネルを接合した状態を示した斜視図である。本発明である外壁パネル１は、所望の大きさに切断して使用することが可能である。そのため、外壁パネル１を複数枚上下左右に接合していき、必要に応じてドアや窓を付けるための空洞部１３、１３ａを設けて使用する。
【００４９】
図１４は、本発明である外壁パネルの連結状態を示した斜視図である。本発明である外壁パネル１と外壁パネル１とを接合した際に横の接合力を高めるとともに、耐震性を高めるために、外パネル２と内パネル３とを連結している連結材４に形成されているＵ字溝５ｄ、５ｅ、５ｅ、５ｉ、５ｉ、６ｄ、６ｅ、６ｅ、６ｉ、６ｉに鉄筋１０、１０、１０、１０・・・・を嵌合させる。
【００５０】
図１５は、本発明である外壁パネルと外壁パネルとをコーナー部分を介して接続した状態の斜視図である。図１５に示すように、コーナー部分を介して、本発明である外壁パネル１と外壁パネル１とを接続するには、コーナー用の連結パネル１２を介して連結パネル１２に本発明である外壁パネル１を接続する。
【００５１】
外壁パネル１の外パネル２と内パネル３間にある連結材４に鉄筋１０が嵌合させた間隙部１１には、後に生コンクリート１１ａを流し込み、固めることで耐久性、耐火性、耐熱性、遮音性等を向上させることができる。
【００５２】
図１６は本発明である外壁パネルの他の実施例の右側面図、図１７は本発明である外壁パネルの他の実施例の左側面図である。図１６に示すように、外壁パネル１ａの外パネル２及び内パネル３の右側面２ｂ、３ｂには円筒形の右凸部２ｉ、３ｈを縦方向に２列に突設してある。
【００５３】
また、図１７に示すように、外パネル２及び内パネル３の左側面２ｈ、３ｇには、円筒状の左凸部２ｊ、２ｊ・・・・、３ｊ、３ｊが、中央部の縦方向に１列に突設してある。そして、前記円筒状の左右凸部２ｊ、３ｊの左方及び右方には半円筒状の左凸部２ｋ、２ｌ、３ｉ、３ｋが縦方向に突設している。
【００５４】
そして、図１７に示すように、円筒状の左凸部２ｊ、２ｊ・・・・と半円筒状の凸部２ｋ、２ｋ・・・間及び円筒状の左凸部２ｊ、２ｊ・・・・と半円筒状の左凸部２ｌ、２ｌ・・・間には、円筒状の右凸部２ｉ、２ｉ・・・・が嵌合する。
【００５５】
また、図１７に示すように、円筒状の左凸部３ｊ、３ｊ・・・・と半円筒状の凸部３ｋ、３ｋ・・・間及び円筒状の左凸部３ｊ、３ｊ・・・・と半円筒状の凸部３ｉ、３ｉ・・・間には、円筒状の右凸部３ｈ、３ｈ・・・・が嵌合する。
【００５６】
図１８は本発明である外壁パネルの他の実施例の右側面図、図１９は他の実施例の左側面図である。本例の外壁パネル１ｂは、前記外壁パネル１ａの表面２ａに不燃材２ｍを設けたものである。不燃材２ｍを設けることで、燃えにくくなり、耐火性を向上させたものである。
【００５７】
図２０は、本発明である外壁パネルの他の実施例の連結状態を示した拡大図である。本発明である外壁パネル１の側面に他の外壁パネル１を接合した場合でも、
左右凸部２ｊ、３ｉ、２ｉ、３ｈが噛合し接合するものである。
【００５８】
【発明の効果】
本発明は、以上に説明したような構成であるから以下の効果が得られる。第１に、本発明である外壁パネルは、耐震性、耐熱性、耐火性、遮音性等に極めて優れいる。
【００５９】
第２に、本発明である外壁パネルは、外壁パネルと外壁パネルとの接合が極めて容易であるとともに加工も容易であり、短時間で施工することができるので、工事期間の短縮や低コストの建築物を建築することができる。
【００６０】
第３に、本発明である外壁パネルは、軽量であるために運搬し易く、工事現場での取り扱いが簡単であるために建築作業の効率が極めて良い。
【図面の簡単な説明】
【図１】本発明である外壁パネルの正面図である。
【図２】本発明である外壁パネルの右側面図である。
【図３】本発明である外壁パネルの背面図である。
【図４】本発明である外壁パネルの平面図である。
【図５】本発明である外壁パネルの底面図である。
【図６】本発明である外壁パネルに使用する連結材の正面図である。
【図７】本発明である外壁パネルに使用する連結材の背面図である。
【図８】本発明である外壁パネルに使用する連結材の平面図である。
【図９】本発明である外壁パネルに使用する連結材のＡ−Ａ線の断面図である。
【図１０】本発明である外壁パネルに取り付けられた状態連結材の正面図である。
【図１１】本発明である外壁パネルと外壁パネルとを接合した状態を示した一部拡大図である。
【図１２】本発明である外壁パネルと外壁パネルとを接合した状態の側面図である。
【図１３】本発明である外壁パネルと外壁パネルとを接合させた状態を示した斜視図である。
【図１４】本発明である外壁パネルと外壁パネルとを接合した状態を示した斜視図である。
【図１５】本発明である外壁パネルと外壁パネルとをコーナーで接合した状態を示した斜視図である。
【図１６】本発明である外壁パネルの他の実施例の右側面図である。
【図１７】本発明である外壁パネルの他の実施例の左側面図である。
【図１８】本発明である外壁パネルの他の実施例の右側面図である。
【図１９】本発明である外壁パネルの他の実施例の左側面図である。
【図２０】本発明である外壁パネルと外壁パネルとの接合方法の他の実施例を示した拡大図である。
【符号の説明】
１　　　外壁パネル
１ａ　　外壁パネル
１ｂ　　外壁パネル
２　　　外パネル
２ａ　　表面
２ｂ　　右側面
２ｃ　　上面
２ｄ　　下面
２ｅ　　上凸部
２ｆ　　下凸部
２ｇ　　装飾材
２ｈ　　左側面
２ｉ　　右凸部
２ｊ　　左凸部
２ｋ　　左凸部
２ｌ　　左凸部
２ｍ　　不燃材
３　　　内パネル
３ａ　　背面
３ｂ　　右側面
３ｃ　　上面
３ｄ　　下面
３ｅ　　上凸部
３ｆ　　下凸部
３ｇ　　左側面
３ｈ　　右凸部
３ｉ　　左凸部
３ｊ　　左凸部
３ｋ　　左凸部
４　　　連結材
４ａ　　連結材本体
４ｂ　　上凹部
４ｃ　　下凹部
５　　　左上連結部
５ａ　　左上先端部
５ｂ　　左上外貫通孔
５ｃ　　左上内貫通孔
５ｄ　　Ｕ字溝
５ｅ　　左上Ｕ字溝
５ｆ　　水平部
５ｇ　　垂直部
５ｈ　　突出部
５ｉ　　左上斜Ｕ字溝
５ｊ　　左上Ｖ字溝
５ｋ　　傾斜部
５ｌ　　突起
５ｍ　　突起
５ｎ　　突条
５ｏ　　Ｌ字型突条
５ｐ　　突起
５ｑ　　段差
６　　　左下連結部
６ａ　　左下先端部
６ｂ　　左下外貫通孔
６ｃ　　左下内貫通孔
６ｄ　　Ｕ字溝
６ｅ　　左下Ｕ字溝
６ｆ　　水平部
６ｇ　　垂直部
６ｈ　　突出部
６ｉ　　左下斜Ｕ字溝
６ｊ　　左下Ｖ字溝
６ｋ　　傾斜部
６ｌ　　突起
６ｍ　　Ｌ字型突条
６ｎ　　突起
７　　　右上連結部
７ａ　　右上外貫通孔
７ｂ　　右上内貫通孔
７ｃ　　右上Ｕ字溝
７ｄ　　水平部
７ｅ　　垂直部
７ｆ　　突出部
７ｇ　　右上斜Ｕ字溝
７ｈ　　右上Ｖ字溝
７ｉ　　傾斜部
７ｊ　　突起
７ｋ　　突起
７ｌ　　Ｌ字型突条
７ｍ　　突起
７ｎ　　右上先端部
８　　　右下連結部
８ａ　　右下外貫通孔
８ｂ　　右下内貫通孔
８ｃ　　右下Ｕ字溝
８ｄ　　水平部
８ｅ　　垂直部
８ｆ　　突出部
８ｇ　　右下斜Ｕ字溝
８ｈ　　右下Ｖ字溝
８ｉ　　傾斜部
８ｊ　　Ｌ字型突条
８ｋ　　突起
８ｌ　　突起
８ｍ　　右下先端部
９　　　左外枠部
９ａ　　右外枠部
１０　　　鉄筋
１１　　　間隙部
１１ａ　　生コンクリート
１２　　　連結パネル
１３　　　空洞部
１３ａ　　空洞部
【図１】
2004084307.tif 000003
【図２】
2004084307.tif 000004
【図３】
2004084307.tif 000005
【図４】
2004084307.tif 000006
【図５】
2004084307.tif 000007
【図６】
2004084307.tif 000008
【図７】
2004084307.tif 000009
【図８】
2004084307.tif 000010
【図９】
2004084307.tif 000011
【図１０】
2004084307.tif 000012
【図１１】
2004084307.tif 000013
【図１２】
2004084307.tif 000014
【図１３】
2004084307.tif 000015
【図１４】
2004084307.tif 000016
【図１５】
2004084307.tif 000017
【図１６】
2004084307.tif 000018
【図１７】
2004084307.tif 000019
【図１８】
2004084307.tif 000020
【図１９】
2004084307.tif 000021
【図２０】
2004084307.tif 000022